(57)【要約】【課題】軟質材製の内側容器と硬質材製の外側容器を有するエアレスポンプ付流体容器においては、従来は、内容物を限界まで汲み出しても１０〜２０重量％が残存したが、エアレスポンプ部分の構成を大きく変えることなくこの数値を５％以下にできるエアレスポンプ付流体容器を開発する。【解決手段】従来の円盤状の内側容器の底面を下に凸の球面状とし、エアレスポンプの吸入管の端部を内側容器の底面近傍にまで延伸させることにより、内側容器の収縮時の無駄な空間を解消し、内容物の残存率を３％以下とすることができるエアレスポンプ付流体容器を提供する。【選択図】        図２
2008143529.tif 000002
【特許請求の範囲】
【請求項１】
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり底面が下に凸の曲面状で側面より厚く形成され、エアレスポンプの吸入管が底面の近傍にまで延伸されていることを特徴とするエアレスポンプ付流体容器。
【請求項２】
内側容器において、底面の厚さの最大値が側面の厚さの２〜４倍の範囲内であることを特徴とする請求項１に記載のエアレスポンプ付流体容器。
【請求項３】
エアレスポンプの吸入管の下端部から内側容器の底面の内側の最低部分までの距離が、内側容器の直径の１５〜３５％の範囲内であることを特徴とする請求項１あるいは請求項２に記載のエアレスポンプ付流体容器。
【発明の詳細な説明】
【技術分野】
【０００１】
本発明は、エアレスポンプ付流体容器に関するものであり、さらに詳しくは、以下の構成を有するエアレスポンプ付流体容器に関するものである。
＜構成１＞
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり底面が下に凸の曲面状で側面より厚く形成され、エアレスポンプの吸入管が底面の近傍にまで延伸されていることを特徴とするエアレスポンプ付流体容器。
＜構成２＞
内側容器において、底面の厚さの最大値が側面の厚さの２〜４倍の範囲内であることを特徴とする構成１に記載のエアレスポンプ付流体容器。
＜構成３＞
エアレスポンプの吸入管の下端部から内側容器の底面の内側の最低部分までの距離が、内側容器の直径の１５〜３５％の範囲内であることを特徴とする構成１あるいは構成２に記載のエアレスポンプ付流体容器。
【背景技術】
【０００２】
口部にエアレスポンプが装着され液体あるいはゾル状物質である内容物を収納する軟質材からなる内側容器と該内側容器を収納する硬質材からなる外側容器の２重構造となっているエアレスポンプ付流体容器は従来からよく知られている。その一例の構成を、図１１に示す。
【０００３】
図１１に示すエアレスポンプ付流体容器ａは、口部５１にエアレスポンプ７が装着され、液体あるいはゾル状物質である内容物Ｃを収容する軟質材からなる内側容器５と、内側容器５を収納する硬質材からなる外側容器６の２重構造となっている。内側容器５の材質としては、一例としてポリエチレンあるいはポリ塩化ビニールが挙げられる。また、外側容器６の材質としては、一例として、アクリル樹脂が挙げられる。さらに、エアレスポンプ７は公知技術であり、その構成は、例えば下記特許文献２に詳しく紹介されている構成と略同様であるので、詳細な説明は省く。
【０００４】
図１１はエアレスポンプ７のロックが解除された状態であり、この状態で頸部７１の押圧と開放を繰り返すことにより、内容物Ｃは吐出口７１ａより吐出される。内容物Ｃは内側容器５内に挿入された吸入管７３からエアレスポンプ７に吸入され、吐出口７１ａから吐出されるものであるが、エアレスポンプ７の作用により内側容器５内は略気密状態に保持されるので、内容物Ｃが汲み出される分だけ内側容器５は収縮する。すなわち、内側容器５は軟質材から成るので減圧分だけ収縮する。
【０００５】
内側容器５は略円筒形状で、円盤状の底面５３は、その周辺部分が側面５２よりやや厚めに形成されるのが普通である。このため、内容物Ｃが略限界まで汲み出されると、内側容器５は図１２ａ、図１２ｂに見るような形状となる。すなわち、底面５３は図１２ａの横断面図に見るように３角形の３辺をやや膨出させたような形状となり、側面５２は３方にリブ状の襞ｈ１、ｈ２、ｈ３を形成する。図１１に見るように、内容物Ｃを汲みだす前の状態では、内側容器５は外側容器６から僅かに間隙を保って装着されているが、図１２ａ、図１２ｂに見るように、使用後は、襞ｈ１、ｈ２、ｈ３の端部ｈ１ａ、ｈ２ａ、ｈ３ａが外側容器６の内面に当接する。
【０００６】
内容物Ｃが略限界まで汲み出された状態で、なぜ内側容器５が図１２ａ、図１２ｂに見るような形状となるかについては、明確な理由を挙げるのは難しいが、例えば図１３に示すように、外側容器６に入れない状態で内容物Ｃを略限界まで汲み出すと、内側容器５は略平板状、すなわち、対向する２方向に襞ｈ´１、ｈ´２を形成し、底面５３は底面視（図示せず）が略ラグビーボール状になる。これからすれば、内側容器５の収縮は、襞の数が最小の整数になるように行われるのであるが、内側容器５が外側容器６に収納されている場合には、２方向に襞を形成した場合に襞ｈ´１、ｈ´２の横方向の延長が外側容器６の半径より大となり、外側容器６に衝突してそれ以上の形成が阻害される。これを避けるために、次の最小整数である３が選択されて、３方向に襞ｈ１、ｈ２、ｈ３が形成されるものと推測される。
【０００７】
ともかく、内側容器５が図１２ａ、図１２ｂに見るような形状となると、これ以上は内容物Ｃを汲み出すのは困難となる。すなわち、頸部７１（図１１参照）の押圧と開放をいくら繰り返しても、内容物Ｃが吐出されなくなる。この状態で、内容物Ｃの残存状態を見ると（図１２ａ、図１２ｂ参照）、内側容器５の底部ｂ、特に襞ｈ１、ｈ２、ｈ３が張り出した部分の底部ｂの端部ｂ１、ｂ２、ｂ３に多くの内容物Ｃが残存しているのが顕著であるほか、襞ｈ１、ｈ２、ｈ３の端部ｈ１ａ、ｈ２ａ、ｈ３ａ及び吸入管７３の端部７３ａの下方にも多くの内容物Ｃが残存しているのが明らかである。内側容器５、外側容器６の形状やサイズ、またエアレスポンプ７の性能によっても違いはあるものの、内容物Ｃの残存率は、当初の内容物Ｃの重量を１００％とした場合に、通常は２０％程度、よほど念入りに汲み出したとしても１０％以上の値となる。
【０００８】
なお、エアレスポンプ７の吸入管７３の端部７３ａが図１１のように内側容器５の高さの略中間になるように配置される理由は、下記特許文献１に詳細に説明されているように、エアレスポンプ付流体容器ａを倒立させた状態でも、内容物Ｃの汲み出しが支障なく行われるようにとの配慮からくるものである。すなわち、エアレスポンプ付流体容器ａを倒立させると、内側容器５の口部５１付近の空間Ｓ内の空気は当然底面５３方向に移動するが、この際に、吸入管７３の端部７３ａが底面５３近傍まで延伸されていると、エアレスポンプ７が空気を吸入することがあり、その場合には内容物Ｃの円滑な汲み出しが阻害される。このような事態を避けるために、エアレスポンプ付流体容器ａにては、通常、吸入管７３の端部７３ａが図１１のように内側容器５の高さの略中間になるように配置される。
【特許文献１】特開２００２‐３０８３６４号公報
【特許文献２】特開２００５‐３５０１４４号公報
【発明の開示】
【発明が解決しようとする課題】
【０００９】
従来のエアレスポンプ付流体容器ａは略上記のような構成となっており、内容物Ｃが略限界まで汲み出されると（図１２ａ、図１２ｂの状態）、収縮した状態の内側容器５を廃棄して、内容物Ｃが充満された状態の新たな内側容器５を装着する。すなわち、傘部８から外側容器６を螺脱させ、さらにキャップ７２から古い内側容器５を螺脱させ、新たな内側容器５をキャップ７２に螺着し、傘部８に外側容器６を螺着して使用する。つまり
、エアレスポンプ７、傘部８、外側容器６はリユース（再使用可能）製品であり、内側容器５は１回限りの使い捨て製品として作られ、流通させられているものである。
【００１０】
しかるに、廃棄される内側容器５には、まだ１０〜２０％程度の内容物Ｃが残存しており、この残存内容物を内側容器５と共に廃棄するのは、昨今の資源を大切にという風潮からみても、また経済効果からみても、余りにももったいない話である。したがって、このようなエアレスポンプ付流体容器にて、内容物Ｃの残存量をできる限り低減させ、５％以下の値とするということを、本発明の課題として設定した。なお、本発明においては、エアレスポンプ付流体容器の内容物として、理美容界や家庭にて多く用いられるシャンプー液、リンス液、洗顔液、化粧水、ジェル、コールド液、ストレートパーマ剤等、あるいは、食品関係として、マヨネーズ、ケチャップ等の流動体状の食品、さらには、食器用洗剤、消毒液、漂白液、サニタリー関連の洗剤等を想定している。
【課題を解決するための手段】
【００１１】
本発明は、上記課題を解決するためになされたものであって、以下に示す解決手段を提供するものである。
＜解決手段１＞
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり底面が下に凸の曲面状で側面より厚く形成され、エアレスポンプの吸入管が底面の近傍にまで延伸されていることを特徴とするエアレスポンプ付流体容器。
＜解決手段２＞
内側容器において、底面の厚さの最大値が側面の厚さの２〜４倍の範囲内であることを特徴とする解決手段１に記載のエアレスポンプ付流体容器。
＜解決手段３＞
エアレスポンプの吸入管の下端部から内側容器の底面の内側の最低部分までの距離が、内側容器の直径の１５〜３５％の範囲内であることを特徴とする解決手段１あるいは解決手段２に記載のエアレスポンプ付流体容器。
【発明の効果】
【００１２】
本発明の、解決手段１の発明によれば、口部と側面と底面から構成された内側容器の全体形状が略円筒形であり底面が下に凸の曲面状で側面より厚く形成され、エアレスポンプの吸入管が底面の近傍にまで延伸されているので、内側容器が３つの襞を作りながら収縮していった場合に、従来最も内容物の残存が多く見られた襞の下端部が最小限にまで縮小され、さらに３つの襞の中間部から上部においても内容物の残存の顕著な低減が見られ、且つ、底面の近傍にまで延伸された吸入管により、内側容器の底部に残存する内容物が著しく低減される。この結果として、内容物の残存量を、重量比で３％以下にまで低減することに成功した。
【００１３】
なお、本発明の、解決手段１の発明にては、吸入管が底面の近傍にまで延伸されている結果として、エアレスポンプ付流体容器全体を倒立させると、内容物の汲み出しに支障を生ずることがままある。しかしながら、本発明のエアレスポンプ付流体容器が想定する内容物は前記のとおりのものであり、これらを入れた本発明のエアレスポンプ付流体容器を倒立状態で使用するということは、通常の使用であればまず考えられないことであるので、内容物の残存率を低減するという目標を優先させ、殆どありえない倒立状態での使用という点については考慮の外とすることとしたものである。
【００１４】
本発明の、解決手段２の発明は、内側容器において、その底面の厚さの最大値と側面の厚さの比に数値限定を施したもので、この比を２〜４としている。この比の適正値は、内側容器の材質や高さと直径の比率によっても異なってくるが、各種の容器を製作して実験した結果として、上記のような数値限定の範囲が導出されたものである。ちなみに、この比が２を下回ると、すなわち、内側容器の底面の厚さの最大値が側面の厚さの２倍を下回ると、内容物が限界近くまで汲み出されるにつれ、内側容器の底面の半球状の形状が崩れて底面の周囲に不必要な空間が形成され、ここに内容物が残存して内容物の残存率が上昇する。また、上記比が４を越えると、すなわち、内側容器の底面の厚さの最大値が側面の厚さの４倍を越えると、内側容器の底面と側面の接合部分の収縮がうまくいかなくなって結局内側容器の底面周辺に内容物の残存が目立ち、やはり全体として内容物の残存率が上昇する。したがって、内側容器の材質や高さと直径の比率にもよるものの、上記比の適正値をさらに絞れば、２．５〜３．５程度、すなわち３前後が適正であろうと考えられる。
【００１５】
本発明の、解決手段３の発明は、エアレスポンプの吸入管の下端部から底面の内側の最低部分までの距離に数値限定を施したもので、この数値を、内側容器の直径、すなわち、内側容器の横幅の１５〜３５％としている。この値の適正値は、内側容器の材質や高さと直径の比率によっても異なってくるが、各種の容器を製作して実験した結果として、上記のような数値限定の範囲が導出されたものである。ちなみに、この値が１５％を下回ると、内容物が限界近くまで汲み出されるにつれ、エアレスポンプの吸入管の下端部が内側容器の底面に当接し、さらに底面を押圧して底面に食い込み、底面の半球状の形状が崩れて余分な入隅が生じ、結果として内容物の残存率が上昇してしまう。すなわち、内側容器の収縮が進行するにつれ、内側容器の底面は上昇するので、このような結果となるのである。
【００１６】
また、上記値が３５％を越えると、内容物が減少して内側容器の収縮が進行した場合に、エアレスポンプの吸入管の下端部に残存する内容物の量が多くなって、やはり内容物の残存率が上昇してしまう。なお、内側容器の材質や高さと直径の比率にもよるものの、この値をさらに絞れば、２０〜３０％、すなわち２５％前後がさらに適正であろうと考えられる。
【発明を実施するための最良の形態】
【００１７】
本発明を実施するための最良の形態を、図面を参照しながら詳細に説明する。なお、図１〜図１０は本発明の実施例１に関するものであり、図１４は本発明の実施例２に関するものである。
【実施例１】
【００１８】
＜実施例１の構成＞
本発明の実施例１のエアレスポンプ付流体容器Ａは、図１（右側面図）あるいは図２（縦断面図）に示すような形状のものであり、口部１１（図２参照）にエアレスポンプ３が装着され液体あるいはゾル状物質である内容物Ｃを収容する軟質材からなる内側容器１と該内側容器１を収納する硬質材からなる外側容器２の２重構造となっている。内側容器１の形状は略円筒形状であり、底面１３が下に凸の曲面状（球面の一部）で側面１２より厚く形成され、エアレスポンプ３の吸入管３３が底面１３の近傍にまで延伸されている。
【００１９】
内側容器１は透明のポリエチレン製で、図８に見るように、口部１１、側面１２、球面の一部の形状をなす底面１３が一体として形成されている。図９にみるように、側面１２は直径Ｄ１の円筒形状で、上端部は口部１１に連続する。口部１１は、図８、図９に見るように、下端部が直径Ｄ１で上端部が上に向かうに従い縮径する縮径部１１ａ、直径Ｄ１の約半分の直径Ｄ２の本体部１１ｃ、本体部１１ｃと縮径部１１ａをつなぐ接続部１１ｂから成り、縮径部１１ａ、接続部１１ｂ、本体部１１ｃはすべて一体として構成されている。本体部１１ｃには螺旋状の突条Ｒ１が本体部１１ｃと一体に突設されているが、この突条Ｒ１は、エアレスポンプ３のキャップ３４の内側に突設された螺旋状の突条（図示せず）と係合することにより、口部１１をキャップ３４に螺着させる役割を有し、これにより、エアレスポンプ３が内側容器１に気密的に装着されるものである。また、接続部１１ｂには平板状の凸部１１ｄ、１１ｅが接続部１１ｂと一体に突設されているが、凸部１１ｄ、１１ｅは、傘部４（図１０ｂ参照）の円孔ＨＲの周縁のリム部４３に９０°間隔で周設された凹部４３ａ〜４３ｄのうち、凹部４３ａ、４３ｃ、あるいは４３ｂ、４３ｄに係合されることにより、内側容器１と傘部４が相対的に回動しないように固定させる役割を果たすものである。
【００２０】
図９に見るように、内側容器１の口部１１の縮径部１１ａの厚さｄ１は、側面１２の厚さｄ２に比較して約３倍となっているが、これは、側面１２が収縮しても、縮径部１１ａには余り変形が及ばないようにするためである。同様に、内側容器１の底面１３の厚さｄ３の最大値は側面１２の厚さｄ２に比較して約３倍となっているが、これも、側面１２が収縮しても、底面１３には余り変形が及ばず、下に凸の球面の一部の形状を保持し得るための構成である。
【００２１】
外側容器２は、透明のアクリル樹脂製で、図２に見るように、上方に向かうに従い僅かに拡径する円筒形状の側面２１と円盤状の底面２２が一体として形成され、側面２１の上端部２１ａには螺旋状の突条Ｒ２が側面２１と一体に形成されている。突条Ｒ２は、後述の傘部４（図１０ａ〜図１０ｃ参照）のフランジ部４２の内側面に突設された螺旋の一部の形状の突条Ｒ３と係合することにより、傘部４を外側容器２の上端部２１ａに螺着させる。外側容器２の直径は、内側容器１の直径Ｄ１よりやや大に構成されており、内側容器１を、僅かの間隙Ｓ１をもって外側容器２の内側面より離間させた状態で収納できるように構成されている。なお、内側容器１の底面１３の下端部は外側容器２の底面２２に当接させられている。
【００２２】
エアレスポンプ３は公知技術のエアレスポンプであるので、内部構造に関する詳細な説明は省略し、他の構成との関連において説明が必要となる点のみを記述する。エアレスポンプ３は、図８に見るように、吐出口３１ａを有する頸部３１、頸部３１に連接された本体部３２、本体部３２の下端に連接された円筒形状の吸入管３３、そして、本体部３２と頸部３１の接合部分に周設されたキャップ３４から構成されている。なお、図１は頸部３１がロックされた状態を示し、図２は頸部３１のロックが解除された状態を示す。頸部３１のロックは、頸部３１全体を押し下げて螺旋状の突条Ｒ４をキャップ３４の上部に配設されたカバー３１ｂ内の螺旋状の突条（図示せず）に係合螺着させることにより行われる。また、ＳＰは本体部３２に内装されたスプリングで、頸部３１が押し下げられた場合に、頸部３１を元の位置に復元させる作用を果たすものである。このスプリングＳＰには、従来のエアレスポンプにて用いられるスプリングより強いものを用いることも可能である。
【００２３】
吸入管３３は、図２に見るように、内側容器１の円筒形状の中心部に配設され、吸入管３３の端部３３ａは、内側容器１の底面１３近傍に位置させられている。端部３３ａは一部が切欠されているが、今、端部３３ａの切欠されていない部分から底面１３の最も低い部分までの距離をＤ３とすると、実施例１のエアレスポンプ付流体容器Ａにおいては、距離Ｄ３は、内側容器１の直径Ｄ１の２５％となっている。この距離Ｄ３は、内側容器１の材質や高さと直径の比率によっても異なってくるが、概ね直径Ｄ１の１５〜３５％の範囲内、さらに適切には、直径Ｄ１の２０〜３０％の範囲内とするのが望ましい。
【００２４】
傘部４は、図１０ａ〜図１０ｃに見るように、全体が傘状で、上方に向かうに従って縮径する本体部４１、本体部４１の下端から下方に垂設されたフランジ部４２、本体部４１の上端から内側にリング状に突設されたリム部４３が一体として構成され、頂部にリム部４３に囲繞された円孔ＨＲを有している。また、リム部４３の底面には凹部４３ａ、４３ｂ、４３ｃ、４３ｄが円周方向に９０°間隔にて周設されており、フランジ部４２の内周には螺旋の一部の形状の突条Ｒ３、Ｒ３が突設されている。
【００２５】
傘部４は、図２に示すように、円孔ＨＲにエアレスポンプ３の本体部３２が挿通され、内側容器１の口部１１の接続部１１ｂの上端面とエアレスポンプ３のキャップ３４の下端面との間に傘部４のリム部４３が挟着されることにより固着される。この際、内側容器１の口部１１の凸部１１ｄ、１１ｅ（図８参照）を傘部４のリム部４３の凹部４３ａ、４３ｃ（あるいは４３ｂ、４３ｄ）に嵌着させることにより、傘部４と内側容器１の相対的な回動が防止される。また、前述のように内側容器１は口部１１がエアレスポンプ３のキャップ３４に螺着固定され、傘部４のフランジ部４２は外側容器２の上端部２１ａに螺着固定されるので、実施例１のエアレスポンプ付流体容器Ａにおいては、エアレスポンプ３の頸部３１を除くすべての部材が一体に固着され、各部材間の相対的な回動が防止される。エアレスポンプ３の頸部３１のみは、その本体部３２に対して回動自在に構成されている。
【００２６】
＜実施例１の作用＞
実施例１のエアレスポンプ付流体容器Ａは、当初は図１に示すように、エアレスポンプ３の頸部３１がロックされ、内容物Ｃが内側容器１内に充填された状態にて使用者（図示せず）の手に渡たされる。使用者は、頸部３１を平面視で左方向に回転させてロックを解除すると、スプリングＳＰ（図８参照）の作用にて頸部３１が上方に延伸され、図２に示す状態となる。なお、この状態での内側容器の外観を、図６に示す。
【００２７】
この状態で、エアレスポンプ３の頸部３１の押圧と開放を繰り返すと吸入管３３から内容物Ｃが吸入され、吐出口３１ａから吐出される。このようにして使用を繰り返すと、内容物Ｃが汲み出されるにつれ内側容器１は収縮し、汲み出しが限界まで行われると、図３、図７に示す状態となる。すなわち、図５ａ、図５ｂに見るように、内側容器１は３方向に略１２０°間隔で襞Ｈ１、Ｈ２、Ｈ３を形成し、襞Ｈ１、Ｈ２、Ｈ３の端部Ｈ１ａ、Ｈ２ａ、Ｈ３ａが外側容器２の内面に当接する状態となる。
【００２８】
内側容器１が図５ａ、図５ｂに見るような形状となると、これ以上は内容物Ｃを汲み出すのは困難となる。すなわち、頸部３１の押圧と開放をいくら繰り返しても、内容物Ｃが吐出されなくなる。この状態で、内容物Ｃの残存状態を見ると、内側容器１の底部Ｂ及び襞Ｈ１、Ｈ２、Ｈ３が張り出した部分の底部Ｂの端部Ｂ１、Ｂ２、Ｂ３に僅かの内容物Ｃが残存しているのが見てとれる。
【００２９】
この状態を、従来のエアレスポンプ付流体容器ａにおける残存状態（図１２ａ、図１２ｂ参照）と比較すると、その違いは明白である。すなわち、実施例１のエアレスポンプ付流体容器Ａにおいては、内側容器１の底面１３が下に凸の曲面状（球面の一部）であるために、底部Ｂの端部Ｂ１、Ｂ２、Ｂ３が従来のエアレスポンプ付流体容器ａの底部ｂの端部ｂ１、ｂ２、ｂ３のように張り出した大きな空間とならないので、その部分に残存する内容物Ｃもごく僅かの量となる。また、従来のエアレスポンプ付流体容器ａにおいては、強く張り出した形状の端部ｂ１、ｂ２、ｂ３がその上部の襞ｈ１、ｈ２、ｈ３の形成にも影響を与えて、襞ｈ１、ｈ２、ｈ３の端部ｈ１ａ、ｈ２ａ、ｈ３ａ（図１２ａ参照）内にも比較的大きな空間を形成する傾向があり、従ってこの部分にも多量の内容物Ｃの残存が見られたが、これに対して実施例１のエアレスポンプ付流体容器Ａにおいては、端部Ｂ１、Ｂ２、Ｂ３の張り出しが弱いので、その結果、襞Ｈ１、Ｈ２、Ｈ３の端部Ｈ１ａ、Ｈ２ａ、Ｈ３ａ（図５ａ参照）内に形成される空間も小さなものとなり、必然的にここに残存する内容物も少量となる。さらに、従来のエアレスポンプ付流体容器ａ（図１２ｂ参照）において顕著に見ることのできる、吸入管７３の端部７３ａの下方の空間に残存する内容物Ｃが、実施例１のエアレスポンプ付流体容器Ａ（図５ａ参照）においては略残存量ゼロとなっていることも見逃せない。
【００３０】
従って、従来のエアレスポンプ付流体容器ａにおいては、内側容器５、外側容器６の形状やサイズ、またエアレスポンプ７の性能によっても違いはあるものの、内容物Ｃの残存率は、当初の内容物Ｃの重量を１００％とした場合に、１０〜２０％の値となることを前に述べたが、実施例１のエアレスポンプ付流体容器Ａにおいて内容物Ｃの残存量を測定したところ、当初の内容物Ｃの重量を１００％とした場合に、限界まで汲み出した後の内容物Ｃの残存量が２．６％という顕著な改善が見られた。
【００３１】
ちなみに、今回の測定における各種のデータは以下のとおりであった。
内側容器１の直径Ｄ１＝８０ｍｍ
吸入管３３の端部３３ａから底面１３の最も低い点までの距離Ｄ３＝２０ｍｍ
内容物Ｃは、洗髪用シャンプー。
エアレスポンプ付流体容器Ａの空重量＝２７５ｇ
内容物Ｃが充満された状態でのエアレスポンプ付流体容器Ａを含む全重量（使用前の全体重量）＝１２００ｇ
内容物Ｃが限界まで汲み出された状態でのエアレスポンプ付流体容器Ａを含む全重量（使用後の全体重量）＝２９９ｇ
以上から、汲み出された内容物Ｃの重量を求めると、
１２００ｇ−２９９ｇ＝９０１ｇ
一方、使用前に充填されていた内容物Ｃの重量は、
１２００ｇ−２７５ｇ＝９２５ｇ
従って、使用後に残存する内容物Ｃの重量は、
９２５ｇ−９０１ｇ＝２４ｇ
従って、残存する内容物Ｃの比率は、
２４ｇ÷９２５ｇ＝０．０２５９４５９４５……
つまり、約２．６％となるが、これは、従来のエアレスポンプ付流体容器ａにおける残存比率１０〜２０％と比べると、略４分の１〜８分の１である。このように、実施例１のエアレスポンプ付流体容器Ａは、従来のエアレスポンプ付流体容器ａに比較して、内容物の残存比率を劇的に低減できる優れた効果を有している。
【実施例２】
【００３２】
実施例２のエアレスポンプ付流体容器ＡＡは、図１４に見るように、実施例１のエアレスポンプ付流体容器Ａの構成のうち、内側容器１、外側容器２、傘部４、そしてエアレスポンプ３の吸入管３３とキャップ３４の構成はそのままにして、エアレスポンプ３の本体部３２及び頸部３１の構成を、本体部３２０、頸部３１０に交換し、エアレスポンプ３０としたものである。エアレスポンプ３０は、いわゆるガンタイプと呼称されるもので、引き金３１２を引き、開放する動作を繰り返すことにより、吐出口３１１から内容物Ｃが汲み出されるものであるが、このエアレスポンプ３０自体は広く用いられている公知技術であるので、詳細な説明は省略する。なお、エアレスポンプ付流体容器ＡＡの作用は実施例１のエアレスポンプ付流体容器Ａの作用と略同様であるが、エアレスポンプ３０はエアレスポンプ３に比較して吐出力が強いので、内容物Ｃの残存比率をさらに下げることが可能である。すなわち、本体部３２０により強力なスプリング（図示せず）を内装し、該スプリングを圧縮する力を確保するために、頸部３１０を、該スプリングへの押圧力を増幅できるガンタイプとしたものである。
【産業上の利用可能性】
【００３３】
上記のように、本発明のエアレスポンプ付流体容器は、従来のエアレスポンプ付流体容器に比較して、内容物の残存比率を激減させることに成功した。すなわち、資源の保護と経済効率の向上に二つながら役立つものであり、エアレスポンプ付流体容器が用いられる各種の分野、理美容業界、家庭用のサニタリー分野、食品容器の分野等において幅広く用いられることが期待される。なお、エアレスポンプの形状がガンタイプとしなくても、エアレスポンプの本体部に内装されるスプリングを強力なものとすることにより、内容物の残存比率をさらに下げることは可能である。この場合には、エアレスポンプの頸部の押圧により大きな力を要するが、本発明のエアレスポンプ付流体容器が理美容業界にて専門の理容師や美容師に用いられるケースにては、家庭用のものより強力なスプリングを内装して、所謂「プロユース」（専門家用）の製品として提供することも可能となる。
【図面の簡単な説明】
【００３４】
【図１】本発明の実施例１のエアレスポンプ付流体容器の右側面図である。
【図２】本発明の実施例１のエアレスポンプ付流体容器の右側面から見た縦断面図である。
【図３】本発明の実施例１のエアレスポンプ付流体容器にて、内容物を限界まで汲み出した状態における右側面から見た縦断面図である。
【図４】本発明の実施例１のエアレスポンプ付流体容器にて、内容物を限界まで汲み出した状態における右側面図である。
【図５】（ａ）図４のＡ−Ａ線断面図である。（ｂ）図５ａのＢ−Ｂ線断面図である。
【図６】本発明の実施例１のエアレスポンプ付流体容器において、外側容器と傘部を仮想線にて示した外観斜視図である。
【図７】本発明の実施例１のエアレスポンプ付流体容器にて、内容物を限界まで汲み出した状態における、外側容器と傘部を仮想線にて示した外観斜視図である。
【図８】本発明の実施例１のエアレスポンプ付流体容器において、エアレスポンプと内側容器の組付構成を示す説明図である。
【図９】本発明の実施例１のエアレスポンプ付流体容器の内側容器の一部を省略した縦断面図である。
【図１０】（ａ）本発明の実施例１のエアレスポンプ付流体容器の傘部の縦断面図である。    （ｂ）本発明の実施例１のエアレスポンプ付流体容器の傘部の底面図である。    （ｃ）本発明の実施例１のエアレスポンプ付流体容器の傘部を底面側から見た外観斜視図である。
【図１１】従来のエアレスポンプ付流体容器の一例の右側面から見た縦断面図である。
【図１２】（ａ）従来のエアレスポンプ付流体容器の一例の横断面図である。（ｂ）図１２ａのＣ−Ｃ線断面図である。
【図１３】従来のエアレスポンプ付流体容器を、外側容器を欠いた状態にて内容物を限界まで汲み出した場合の内側容器の収縮状態を示す説明図で、傘部と外側容器は仮想線で示している。
【図１４】本発明の実施例２のエアレスポンプ付流体容器の右側面から見た縦断面図である。
【符号の説明】
【００３５】
１        内側容器
１１      口部
１１ａ    縮径部
１１ｂ    接続部
１１ｃ    本体部
１１ｄ    凸部
１１ｅ    凸部
１２      側面
１３      底面
２        外側容器
２１      側面
２１ａ    上端部
２２      底面
３        エアレスポンプ
３０      エアレスポンプ
３１      頸部
３１ａ    吐出口
３１ｂ    カバー
３１０    頸部
３１１    吐出口
３１２    引き金
３２      本体部
３２０    本体部
３３      吸入管
３３ａ    端部
３４      キャップ
４        傘部
４１      本体部
４２      フランジ部
４３      リム部
４３ａ    凹部
４３ｂ    凹部
４３ｃ    凹部
４３ｄ    凹部
５        内側容器
５１      口部
５２      側面
５３      底面
６        外側容器
７        エアレスポンプ
７１      頸部
７１ａ    吐出口
７２      キャップ
７３      吸入管
７３ａ    端部
８        傘部
５１      口部
５２      側面
５３      底面
Ａ        エアレスポンプ付流体容器
ＡＡ      エアレスポンプ付流体容器
Ｂ        底部
Ｂ１      端部
Ｂ２      端部
Ｂ３      端部
Ｃ        内容物
Ｄ１      直径
Ｄ２      直径
Ｄ３      距離
Ｈ１      襞
Ｈ２      襞
Ｈ３      襞
Ｈ１ａ    端部
Ｈ２ａ    端部
Ｈ３ａ    端部
ＨＲ      円孔
Ｒ１      突条
Ｒ２      突条
Ｒ３      突条
Ｒ４      突条
Ｓ        空間
Ｓ１      間隙
ＳＰ      スプリング
ａ        エアレスポンプ付流体容器
ｂ        底部
ｂ１      端部
ｂ２      端部
ｂ３      端部
ｄ１      厚さ
ｄ２      厚さ
ｄ３      厚さ
ｈ１      襞
ｈ´１    襞
ｈ１ａ    端部
ｈ２      襞
ｈ´２    襞
ｈ２ａ    端部
ｈ３      襞
ｈ３ａ    端部
【図１】
2008143529.tif 000003
【図２】
2008143529.tif 000004
【図３】
2008143529.tif 000005
【図４】
2008143529.tif 000006
【図５】
2008143529.tif 000007
【図６】
2008143529.tif 000008
【図７】
2008143529.tif 000009
【図８】
2008143529.tif 000010
【図９】
2008143529.tif 000011
【図１０】
2008143529.tif 000012
【図１１】
2008143529.tif 000013
【図１２】
2008143529.tif 000014
【図１３】
2008143529.tif 000015
【図１４】
2008143529.tif 000016
【手続補正書】
【提出日】平成19年6月15日(2007.6.15)
【手続補正１】
【補正対象書類名】特許請求の範囲
【補正対象項目名】請求項１
【補正方法】変更
【補正の内容】
【請求項１】
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり側面より厚くなる底面が下に凸の曲面状の構造として、該曲面状の底面が外側容器の底部へ接触する位置まで下げて、内側容器の曲面状底面と外側容器底部との間に空間をなくするように形成し、かつ、エアレスポンプの吸入管が上記内側容器の底面近傍まで延伸させて、内側容器が３つの襞を作りながら収縮した場合、内容物の残存が多く見られた襞の下端部が最小限まで縮小するように構成され、さらに３つの襞の中間部から上部においても内容物の残存が低減されるように構成したことを特徴とするエアレスポンプ付流体容器。  
【手続補正２】
【補正対象書類名】明細書
【補正対象項目名】０００１
【補正方法】変更
【補正の内容】
【０００１】
本発明は、エアレスポンプ付流体容器に関するものであり、さらに詳しくは、以下の構成を有するエアレスポンプ付流体容器に関するものである。
＜構成１＞
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり側面より厚くなる底面が下に凸の曲面状の構造として、該曲面状の底面が外側容器の底部へ接触する位置まで下げて、内側容器の曲面状底面と外側容器底部との間に空間をなくするように形成し、かつ、エアレスポンプの吸入管が上記内側容器の底面近傍まで延伸させて、内側容器が３つの襞を作りながら収縮した場合、内容物の残存が多く見られた襞の下端部が最小限まで縮小するように構成され、さらに３つの襞の中間部から上部においても内容物の残存が低減されるように構成したことを特徴とするエアレスポンプ付流体容器。
＜構成２＞
内側容器において、底面の厚さの最大値が側面の厚さの２〜４倍の範囲内であることを特徴とする構成１に記載のエアレスポンプ付流体容器。
＜構成３＞
エアレスポンプの吸入管の下端部から内側容器の底面の内側の最低部分までの距離が、内側容器の直径の１５〜３５％の範囲内であることを特徴とする構成１あるいは構成２に記載のエアレスポンプ付流体容器。
【手続補正３】
【補正対象書類名】明細書
【補正対象項目名】００１１
【補正方法】変更
【補正の内容】
【００１１】
本発明は、上記課題を解決するためになされたものであって、以下に示す解決手段を提供するものである。
＜解決手段１＞
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり側面より厚くなる底面が下に凸の曲面状の構造として、該曲面状の底面が外側容器の底部へ接触する位置まで下げて、内側容器の曲面状底面と外側容器底部との間に空間をなくするように形成し、かつ、エアレスポンプの吸入管が上記内側容器の底面近傍まで延伸させて、内側容器が３つの襞を作りながら収縮した場合、内容物の残存が多く見られた襞の下端部が最小限まで縮小するように構成され、さらに３つの襞の中間部から上部においても内容物の残存が低減されるように構成したことを特徴とするエアレスポンプ付流体容器。
＜解決手段２＞
内側容器において、底面の厚さの最大値が側面の厚さの２〜４倍の範囲内であることを特徴とする解決手段１に記載のエアレスポンプ付流体容器。
＜解決手段３＞
エアレスポンプの吸入管の下端部から内側容器の底面の内側の最低部分までの距離が、内側容器の直径の１５〜３５％の範囲内であることを特徴とする解決手段１あるいは解決手段２に記載のエアレスポンプ付流体容器。
【手続補正書】
【提出日】平成19年7月18日(2007.7.18)
【手続補正１】
【補正対象書類名】特許請求の範囲
【補正対象項目名】請求項１
【補正方法】変更
【補正の内容】
【請求項１】
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり側面より厚くなる底面が下に凸の全体的に湾曲面状の構造として、該曲面状の底面が外側容器の底部へ接触する位置まで下げて、内側容器の曲面状底面と外側容器底部との間に空間をなくするように形成し、かつ、エアレスポンプの吸入管が上記内側容器の底面近傍まで延伸させて、内側容器が３つの襞を作りながら収縮した場合、内容物の残存が多く見られた襞の下端部が最小限まで縮小するように構成され、さらに３つの襞の中間部から上部においても内容物の残存が低減されるように構成したことを特徴とするエアレスポンプ付流体容器。  
【手続補正２】
【補正対象書類名】明細書
【補正対象項目名】０００１
【補正方法】変更
【補正の内容】
【０００１】
本発明は、エアレスポンプ付流体容器に関するものであり、さらに詳しくは、以下の構成を有するエアレスポンプ付流体容器に関するものである。
＜構成１＞
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり側面より厚くなる底面が下に凸の全体的に湾曲面状の構造として、該曲面状の底面が外側容器の底部へ接触する位置まで下げて、内側容器の曲面状底面と外側容器底部との間に空間をなくするように形成し、かつ、エアレスポンプの吸入管が上記内側容器の底面近傍まで延伸させて、内側容器が３つの襞を作りながら収縮した場合、内容物の残存が多く見られた襞の下端部が最小限まで縮小するように構成され、さらに３つの襞の中間部から上部においても内容物の残存が低減されるように構成したことを特徴とするエアレスポンプ付流体容器。
＜構成２＞
内側容器において、底面の厚さの最大値が側面の厚さの２〜４倍の範囲内であることを特徴とする構成１に記載のエアレスポンプ付流体容器。
＜構成３＞
エアレスポンプの吸入管の下端部から内側容器の底面の内側の最低部分までの距離が、内側容器の直径の１５〜３５％の範囲内であることを特徴とする構成１あるいは構成２に記載のエアレスポンプ付流体容器。
【手続補正３】
【補正対象書類名】明細書
【補正対象項目名】００１１
【補正方法】変更
【補正の内容】
【００１１】
本発明は、上記課題を解決するためになされたものであって、以下に示す解決手段を提供するものである。
＜解決手段１＞
口部にエアレスポンプが装着され液体あるいはゾル状物質である内容物を収容する軟質材からなる内側容器と該内側容器を収納する硬質材からなる外側容器の２重構造となっているエアレスポンプ付流体容器において、口部と側面と底面から構成された内側容器の全体形状が略円筒形であり側面より厚くなる底面が下に凸の全体的に湾曲面状の構造として、該曲面状の底面が外側容器の底部へ接触する位置まで下げて、内側容器の曲面状底面と外側容器底部との間に空間をなくするように形成し、かつ、エアレスポンプの吸入管が上記内側容器の底面近傍まで延伸させて、内側容器が３つの襞を作りながら収縮した場合、内容物の残存が多く見られた襞の下端部が最小限まで縮小するように構成され、さらに３つの襞の中間部から上部においても内容物の残存が低減されるように構成したことを特徴とするエアレスポンプ付流体容器。
＜解決手段２＞
内側容器において、底面の厚さの最大値が側面の厚さの２〜４倍の範囲内であることを特徴とする解決手段１に記載のエアレスポンプ付流体容器。
＜解決手段３＞
エアレスポンプの吸入管の下端部から内側容器の底面の内側の最低部分までの距離が、内側容器の直径の１５〜３５％の範囲内であることを特徴とする解決手段１あるいは解決手段２に記載のエアレスポンプ付流体容器。